(57)【要約】      （修正有）【課題】キーブランクに対する切削加工の際に、同キーブランクの半幅を確保するため従来用いられていた補助ピースを不要とし、しかも切削加工操作の簡易化を図れるようにした合鍵複製機を提供する。【解決手段】支持台１１上の固定部材１２に案内されて前後に移動可能の可動台１３の上面に、支持枠１４が固着され、同支持枠１４上で、両側のツマミ１５ａ，１５ａの操作により横移動調整可能に設けられたキーブランク装着台１５には、従来の補助ピースを不要とするため、キーブランクＡの長手方向中心線に沿う凹溝に係合しうる隆起部が形成される。キーブランクＡの側縁を切削する回転切削刃２０の駆動モーターは箱状の支持台１１の内部に設置する。【選択図】図１
0003145042.tif 000002
【実用新案登録請求の範囲】
【請求項１】
支持台（11）の上面に立設固定された固定部材（12）と、同固定部材（12）に案内されて前後方向へ移動可能に設けられた可動台（13）と、同可動台（13）上に固着された支持枠（14）と、同支持枠（14）に支持されて両側のツマミ（15ａ，15ａ）の把持による横方向へのクリック作動に伴い横移動調整可能に設けられたキーブランク装着台（15）と、同キーブランク装着台（15）の後縁部上面に形成されたキーブランク位置決め載置用段差部（16）と、同段差部（16）で左右方向へ水平に載置されたキーブランク（Ａ）の上面の一側縁部を上方から締付け固定して同キーブランク（Ａ）の他側縁部を切削加工態勢に保持すべく、上記キーブランク装着台（15）の上面に開口した雌ねじ孔（17）に螺合しうる上部ハンドル（18ａ）付き鉛直雄ねじ棒（18）と、同雄ねじ棒（18）を挿通されたキーブランク締付け部材（19）と、同キーブランク締付け部材（19）により締付けられるようにして上記キーブランク装着台（15）に装着された上記キーブランク（Ａ）の上記他側縁部に対向しうるように上記支持台（11）上に設けられたモーター駆動式ディスク状回転切削刃（20）とを備え、上記キーブランク（Ａ）の長手方向中心線に沿う凹溝（ＡＹ）に係合しうる隆起部（27）が、上記キーブランク位置決め載置用段差部（16）の縁部に沿って形成されていることを特徴とする、合鍵複製機。
【請求項２】
上記キーブランク装着台（15）の前縁部において、上記キーブランク（Ａ）の側縁部に対する切削加工位置に対応した目盛り（ｍ）が設けられるとともに、同目盛り（ｍ）に対向して上記支持枠（14）上に目盛り位置指示マーク（14ａ）が施されていることを特徴とする、請求項１に記載の合鍵複製機。
【請求項３】
上記キーブランク（Ａ）に施される切削加工の深さを規制すべく、上記固定部材（12）にクリック作動により回転可能に挿通された横軸（21）の端部に周縁目盛り（22ａ）付きディスク（22）が設けられるとともに、上記可動台（13）に設けられた前後方向の規制軸（23）を選択的に受け入れて上記周縁目盛り(22ａ)付きディスク（22）の目盛りに対応する深さまで上記キーブランク（Ａ）に対する切削加工を行えるように、上記ディスク状回転切削刃（20）へ向け同キーブランク（Ａ）を押し進めるための奥行に設定された複数の規制軸挿通孔（21ａ）が、上記横軸（21）の周面に開口していることを特徴とする、請求項１または２に記載の合鍵複製機。
【請求項４】
上記モーター駆動式ディスク状回転切削刃（20）を覆うケーシング25の上面に、上記キーブランク（Ａ）により合鍵を作成するためのオリジナルキーについて、上記目盛り（ｍ）に対応した位置でのキー溝の深さを計測しうるキー溝測定器（26）が設けられていることを特徴とする、請求項１〜３のいずれか１つに記載の合鍵複製機。
【請求項５】
上記回転切削刃（20）をベルト車式駆動機構により回転駆動するためのモーター（Ｍ）が、箱状に形成された上記支持台（11）の内部に設置されて、同モーター（Ｍ）の回転軸の外端部に装着された下部ベルト車（Ｍａ）と上記ディスク状回転切削刃（20）の回転軸の一端に装着された上部ベルト車（20ａ）との相互間に掛け回されるベルト（Ｂｅ）が、箱状に形成された上記支持台（11）の上壁における局部的な小開口（ＯＬ）を通じて配設されていることを特徴とする、請求項１〜４のいずれか１つに記載の合鍵複製機。
【考案の詳細な説明】
【技術分野】
【０００１】
本考案は、オリジナルキーの両側縁にそれぞれ刻まれた複数の凹部を、キーブランクの両側縁に再現して、合鍵を複製できるようにした合鍵複製機に関する。
【背景技術】
【０００２】
従来の合鍵複製機としては、図５に示すような卓上型のものが開発されており、図７に示すキーブランクＡが、図５に示す合鍵複製機の支持台Ｊ上の固定台Ｙにおいて、前後に移動可能に設けられた可動枠体Ｚと一体の枠部材Ｗ上で左右方向へ位置調整可能に装着されているクランプ機構Ｃにより、ハンドルＨの操作で載置面ＢＦ（図６参照）上に締付け固定される。その際、キーブランクＡには、切削加工時に、その半幅ｂ（図７参照）をディスク状回転刃Ｋに対し常に定位置で確保するための補助ピースＡＸ（図８参照）が、その凸条ａを同キーブランクＡの中心溝ＡＹに係合するようにあてがわれる。
このようにして、モーターＭで回転駆動されるディスク状回転切削刃Ｋにより、キーブランクＡの両側縁部に対する切削加工が順次施されるようになっている。その際、キーブランクＡを締付けたままクランプ機構Ｃを左右方向へ移動調整して位置決めするための一対のツマミＨａの横方向操作により、同クランプ機構Ｃから後方へ突設されたピンＰが、キーブランクＡにおける９つの側面位置（１〜９）を規定するピン挿入孔ｈへ選択的に挿入されるようにして、キーブランクＡの側縁に対する切削加工位置が順次設定される。
また、キーブランクＡの側縁に施される切削加工の深さの設定は、予めオリジナルキーについて計測された深さに対応するように、可動枠体Ｚにおける回転操作用ツマミＴの周縁部に記載された１〜４の目盛りを用いて、回転軸Ｒを介し周方向に位置決めされる段差ディスクＤと、同ディスクＤの段差面に当接可能の固定ピンＧとの係合によって行われるが、その際、段差ディスクＤを固定ピンＧに当接させるための可動枠体Ｚの前進操作は、同枠体Ｚと一体のクランプ機構支持枠Ｗから左右に突設された一対の球状ノブＥ，Ｅを把持して行われる。そして、キーブランクＡの一側縁に対する切削加工が行われてから、同キーブランクＡの他側縁に対する切削加工を行う際には、同キーブランクＡを裏返して、再び補助ピースＡＸを装着した後、同様の切削操作が行われる。
【特許文献１】実用新案登録第３０７７９８０号公報
【考案の開示】
【考案が解決しようとする課題】
【０００３】
図５に示す従来の合鍵複製機では、キーブランクＡの半幅を確保するための補助ピースＡＸを必要とし、またピンＰのピン挿入孔ｈに対する位置決めを行うためのクランプ機構Ｃの横方向移動操作が一対のツマミＨａにより行われるとともに、可動枠体Ｚの前後方向位置調整操作は左右の球状ノブＥ，Ｅにより行われるので、操作が複雑となり、しかもピンＰの横方向位置を決めるハンドルＨの操作が、同ピンＰを所要のピン挿入孔ｈへ正確に対向させるために困難性を伴い、熟練を要するという不具合がある。
そこで、本考案は、キーブランクに対する切削加工の際に、同キーブランクの半幅を確保するため従来用いられていた補助ピースを不要とし、しかも切削加工操作の簡易化を図れるようにした合鍵複製機を提供することを課題とする。
【課題を解決するための手段】
【０００４】
前述の課題を解決するため、本考案の合鍵複製機は、支持台の上面に立設固定された固定部材と、同固定部材に案内されて前後方向へ移動可能に設けられた可動台と、同可動台上に固着された支持枠と、同支持枠に支持されて両側のツマミの把持による横方向へのクリック作動に伴い横移動調整可能に設けられたキーブランク装着台と、同キーブランク装着台の後縁部上面に形成されたキーブランク位置決め載置用段差部と、同段差部で左右方向へ水平に載置されたキーブランクの上面の一側縁部を上方から締付け固定して同キーブランクの他側縁部を切削加工態勢に保持すべく、上記キーブランク装着台の上面に開口した雌ねじ孔に螺合しうる上部ハンドル付き鉛直雄ねじ棒と、同雄ねじ棒を挿通されたキーブランク締付け部材と、同キーブランク締付け部材により締付けられるようにして上記キーブランク装着台に装着された上記キーブランクの上記他側縁部に対向しうるように上記支持台上に設けられたモーター駆動式ディスク状回転切削刃とを備え、上記キーブランクの長手方向中心線に沿う凹溝に係合しうる隆起部が、上記キーブランク位置決め載置用段差部の縁部に沿って形成されていることを特徴としている。
【０００５】
また、本考案の合鍵複製機は、上記キーブランク装着台の前縁部において、上記キーブランクの側縁部に対する切削加工位置に対応した目盛りが設けられるとともに、同目盛りに対向して上記支持枠上に目盛り位置指示マークが施されていることを特徴としている。
【０００６】
さらに、本考案の合鍵複製機は、上記キーブランクに施される切削加工の深さを規制すべく、上記固定部材にクリック作動により回転可能に挿通された横軸の端部に周縁目盛り付きディスクが設けられるとともに、上記可動台に設けられた前後方向の規制軸を選択的に受け入れて上記周縁目盛り付きディスクの目盛りに対応する深さまで上記キーブランクに対する切削加工を行えるように、上記ディスク状回転切削刃へ向け同キーブランクを押し進めるための奥行に設定された複数の規制軸挿通孔が、上記横軸の周面に開口していることを特徴としている。
【０００７】
また、本考案の合鍵複製機は、上記モーター駆動式ディスク状回転切削刃を覆うケーシングの上面に、上記キーブランクにより合鍵を作成するためのオリジナルキーについて、上記目盛りに対応した位置でのキー溝の深さを計測しうるキー溝測定器が設けられていることを特徴としている。
【０００８】
さらに、本考案の合鍵複製機は、上記回転切削刃をベルト車式駆動機構により回転駆動するためのモーターが、箱状に形成された上記支持台の内部に設置されて、同モーターの回転軸の外端部に装着された下部ベルト車と上記ディスク状回転切削刃の回転軸の一端に装着された上部ベルト車との相互間に掛け回されるベルトが、箱状に形成された上記支持台の上壁における局部的な小開口を通じて配設されていることを特徴としている。
【考案の効果】
【０００９】
上述の本考案の合鍵複製機では、支持台の上面の固定台に、前後移動可能に設けられた可動台と、同可動台上に固着された支持枠に対しクリック作動により横移動可能に設けられているキーブランク装着台とを備え、同キーブランク装着台の後縁部上面に形成されたキーブランク位置決め載置用段差部の縁部に、キーブランクの長手方向中心線に沿う凹溝に係合しうる隆起部が形成されているので、キーブランクをセットする際には同キーブランクの中心線に沿う凹溝を上記隆起部に係合させるようにして、簡便に且つ正確にキーブランクのセット操作を行うことができる。
【００１０】
そして、キーブランク締付け部材により上記キーブランクの締付け固定を行ってから、上記キーブランク装着台の横方向位置の調整は、同キーブランク装着台の左右のツマミを両手の各指でそれぞれ把持しながら、左右の掌を上記支持台の両側にそれぞれあてがうようにして、クリック作動により簡便に行うことができ、ついで上記キーブランク装着台上に固定された上記キーブランクをモーター駆動式ディスク状回転刃へ当接させるように上記ツマミを操作して、上記キーブランクに対する切削加工を能率よく且つ正確に行うことが可能になる。
【００１１】
このようにして、キーブランクの一側に対する切削加工が終了してから、同キーブランクの他側に対する切削加工のため同キーブランクを裏返した状態で、上記キーブランク位置決め載置用段差部に再びセットする操作が行われるが、その際も、同キーブランクの長手方向中心線に沿う凹溝を、上記キーブランク位置決め載置用段差部の縁部における隆起部に係合させるようにして、同キーブランクの一側に対する切削加工が行われた後にも拘わらず、同キーブランクの他側についての正確な位置決め操作が、簡便に行われるようになる。
【００１２】
また、上記キーブランク装着台の前縁部において、上記キーブランクの側縁部に対する切削加工位置に対応した目盛りが設けられて、同目盛りに対向するように上記支持枠上に目盛り位置指示マークが施されていると、同キーブランクの切削加工作業が能率よく迅速に行われるようになる。
【００１３】
さらに、上記キーブランクの縁部に施される切削加工の深さ（溝の深さ）を規制できるように、上記固定部材に対しクリック作動により回転可能に挿通された横軸の端部に周縁目盛り付きディスクが設けられ、上記可動台における前後方向の規制軸を選択的に受け入れて上記周縁目盛り付きディスクの目盛りに対応する深さまで上記キーブランクに対する切削加工が施されるように、上記ディスク状回転切削刃へ向け同キーブランクを押し進めるための奥行に設定された複数の規制軸挿通孔が、上記横軸の周面に開口していると、上記キーブランクの縁部の各所望位置に対し上記回転切削刃により行われるキーブランクへの溝加工が、上記規制軸挿通孔の奥行により規制される上記規制軸の進入の度合に対応して、正確に且つ能率よく行われるようになる。
【００１４】
また、上記モーター駆動式ディスク状回転切削刃を覆うケーシングの上面に、上記キーブランクにより合鍵を作成するためのオリジナルキーについて、上記目盛りに対応した位置でのキー溝の深さを計測しうるキー溝測定器が設けられていると、同キー溝測定器を用いて上記キーブランクの縁部に切削加工すべき各溝の位置および深さについての情報が直ちに読み取れるので、このようにして得られた測定情報に基づき、上記切削加工位置に対応したキーブランクの装着台上の目盛りの位置合せや、キー溝の深さに対応した上記周縁目盛り付きディスクの回動調整を迅速に行えるようになる利点が得られる。
【００１５】
さらに、上記回転切削刃をベルト車式駆動機構により回転駆動するためのモーターが、箱状に形成された上記支持台の内部に設置されて、同モーターの回転軸の外端部に装着された下部ベルト車と上記ディスク状回転切削刃の回転軸の一端に装着された上部ベルト車との相互間に掛け回されるベルトが、箱状に形成された上記支持台の上壁における局部的な小開口を通じて配設されている場合は、上記モーターが外部に露出している場合と比べて、モーター作動時の騒音が軽減されるほか、キーブランクの切削加工に伴う切屑の上記モーターへの悪影響を十分に防止することが可能になる。
【実施例】
【００１６】
図１は本考案の一実施例としての合鍵複製機の斜視図、図２は上記合鍵複製機における動力の伝達系統を模式的に示す横断面図、図３は図１の合鍵複製機におけるキーブランク載置台の要部を示す斜視図、図４はオリジナルキーの一例を示す平面図である、
【００１７】
図１に示すように、鋼製箱状の支持台11の上面に、強固な鋼製の固定部材12が固着されており、同固定部材12に形成されている左右一対の前後方向の案内孔12ａ，12ｂにそれぞれ挿通された丸棒13ａ，13ａを有して前後に移動可能に装着された可動台13が設けられている。
【００１８】
可動台13上には支持枠14が固着されて、同支持枠14には、両側のツマミ15ａ，15ａの把持による横方向へのクリック作動に伴い、同支持枠14に対し横移動位置調整可能のキーブランク装着台15が設けられている。
【００１９】
キーブランク装着台15の後縁部上面には、図３に示すように、キーブランク位置決め載置用段差部16が形成されており、同段差部16で左右方向へ水平に載置されたキーブランクＡの上面の一側縁部を上方から締付け固定して同キーブランクＡの他側縁部を切削加工態勢に保持するため、キーブランク装着台15の上面に開口した雌ねじ孔17に螺合する上部ハンドル18ａ付き鉛直雄ねじ棒18（図１参照）と、同雄ねじ棒18の雄ねじ部を挿通される通孔19ａを形成されたキーブランク締付け部材19とが設けられている。
【００２０】
また、キーブランク装着台15に装着されたキーブランクＡの上記他側縁部に対向しうるように、支持台11上には、モーター駆動式ディスク状回転切削刃20が設けられている。
そして、キーブランクＡの長手方向中心線に沿う凹溝ＡＹ（図７参照）に係合しうる隆起部27が、図３に示すごとく、キーブランク位置決め載置用段差部16の縁部に沿って形成されている。
【００２１】
図１に示すように、キーブランク装着台15の前縁部には、キーブランクＡの側縁部に対する切削加工位置に対応した目盛りｍが設けられるとともに、同目盛りｍに対向して支持枠14上に目盛り位置指示マーク14ａが施されている。
【００２２】
さらに、キーブランクＡに施される切削加工の深さを規制できるように、固定部材12にクリック作動により回動可能に挿通された横軸21の端部に、周縁目盛り22ａ付きディスク22が設けられるとともに、可動台13に設けられた前後方向の規制軸23を選択的に受け入れてディスク22における周縁目盛り22ａのセットマーク22ｂに対応する深さまでキーブランクＡに対する切削加工を行えるように、ディスク状回転切削刃20へ向け同キーブランクＡを押し進めるための奥行きに設定された複数の規制軸挿通孔21ａが、横軸21の周面に開口している。
【００２３】
さらに、モーター駆動式ディスク状回転切削刃20を覆うケーシング25の上面には、キーブランクＡにより合鍵を作成するためのオリジナルキーＯＲ（図４参照）について、図１における目盛りｍに対応した各位置（１〜９）での４種類のキー溝の深さを計測しうるキー溝測定器26が設けられている。
【００２４】
図１に示す回転切削刃20をベルト車式駆動機構により回転駆動するため、図２に示すように、箱状に形成された支持台11の内部にモーターＭが設置され、同モーターＭの回転軸の外端部に装着された下部ベルト車Ｍａと回転切削刃20の回転軸の一端に装着された上部ベルト車20ａとの相互間に掛け回されるベルトＢｅは、箱状の支持台11の上壁における局部的な小開口ＯＬを通じて配設される。なお、モーターＭの作動は、図１に示すスイッチ24により行われる。
【００２５】
上述の本実施例の合鍵複製機では、支持台11の上面の固定台12に、前後移動可能に設けられた可動台13と、同可動台13上に固着された支持枠14に対しクリック作動により横移動可能に設けられているキーブランク装着台15とを備え、同キーブランク装着台15の後縁部上面に形成されたキーブランク位置決め載置用段差部16（図３参照）の縁部に、キーブランクＡの長手方向中心線に沿う凹溝ＡＹ（図７参照）に係合しうる隆起部27が形成されているので、キーブランクＡをセットする際には同キーブランクＡの中心線に沿う凹溝ＡＹを上記隆起部27に係合させるようにして、簡便に且つ正確にキーブランクＡのセット操作を行うことができる。
【００２６】
そして、キーブランク締付け部材19によりキーブランクＡの締付け固定を行ってから、キーブランク装着台15の横方向位置の調整は、同キーブランク装着台15の左右のツマミ15ａ，15ａを両手の各指でそれぞれ把持しながら、左右の掌を支持台11の両側にそれぞれあてがうようにして、クリック作動により簡便に行うことができ、ついでキーブランク装着台15上に固定されたキーブランクＡをモーター駆動式ディスク状回転刃20へ当接させるようにツマミ15ａを操作して、キーブランクＡに対する切削加工を能率よく且つ正確に行うことが可能になる。
【００２７】
このようにして、キーブランクＡの一側に対する切削加工が終了してから、同キーブランクＡの他側に対する切削加工のため同キーブランクＡを裏返した状態で、キーブランク位置決め載置用段差部16に再びセットする操作が行われるが、その際も、同キーブランクＡの長手方向中心線に沿う凹溝ＡＹを、キーブランク位置決め載置用段差部16の縁部における隆起部27に係合させるようにして、同キーブランクＡの一側に対する切削加工が行われた後にも拘わらず、同キーブランクＡの他側についての正確な位置決め操作が、簡便に行われるようになる。
【００２８】
また、キーブランク装着台15の前縁部において、キーブランクＡの側縁部に対する切削加工位置に対応した目盛りｍが設けられて、同目盛りｍに対向するように支持枠14上に目盛り位置指示マーク14ａが施されているので、同キーブランクＡの切削加工作業が能率よく迅速に行われるようになる。
【００２９】
さらに、キーブランクＡの縁部に施される切削加工の深さ（溝の深さ）を規制できるように、固定部材12に対しクリック作動により回転可能に挿通された横軸21の端部に周縁目盛り22ａ付きディスク22が設けられ、可動台13における前後方向の規制軸23を選択的に受け入れて周縁目盛り付きディスク22の目盛り22ａに対応する深さまでキーブランクＡに対する切削加工が施されるように、ディスク状回転切削刃20へ向け同キーブランクＡを押し進めるための奥行に設定された複数の規制軸挿通孔21ａが、横軸21の周面に開口しているので、キーブランクＡの縁部の各所望位置に対し回転切削刃20により行われるキーブランクＡへの溝加工が、規制軸挿通孔21ａの奥行により規制される規制軸23の進入の度合に対応して、正確に且つ能率よく行われるようになる。
【００３０】
また、モーター駆動式ディスク状回転切削刃20を覆うケーシング25の上面に、キーブランクＡにより合鍵を作成するためのオリジナルキーＯＲについて、目盛りｍに対応した位置でのキー溝の深さを計測しうるキー溝測定器26が設けられているので、同キー溝測定器26を用いてキーブランクＡの縁部に切削加工すべき各溝の位置および深さについての情報が直ちに読み取れるようになり、このようにして得られた測定情報に基づき、切削加工位置に対応したキーブランク装着台15上の目盛ｍの位置合せや、キー溝の深さに対応した周縁目盛り22ａ付きディスク22の回動調整を迅速に行えるようになる利点が得られる。
【００３１】
さらに、回転切削刃20をベルト車式駆動機構により回転駆動するためのモーターＭが、箱状に形成された支持台11の内部に設置されて、同モーターＭの回転軸の外端部に装着された下部ベルト車Ｍａとディスク状回転切削刃20の回転軸の一端に装着された上部ベルト車20ａとの相互間に掛け回されるベルトＢｅが、箱状に形成された支持台11の上壁における局部的な小開口ＯＬを通じて配設されているので、モーターＭが外部に露出している場合と比べて、モーター作動時の騒音が軽減されるほか、キーブランクＡの切削加工に伴う切屑のモーターＭへ及ぼす悪影響を十分に防止することが可能になる。
【図面の簡単な説明】
【００３２】
【図１】本考案の一実施例としての合鍵複製機を示す斜視図である。
【図２】上記合鍵複製機における動力の伝達系統を模式的に示す横断面図である。
【図３】上記合鍵複製機におけるキーブランク載置台の要部を示す斜視図である。
【図４】オリジナルキーの一例を示す平面図である。
【図５】従来の合鍵複製機の一例を示す斜視図である。
【図６】従来の合鍵複製機におけるキーブランク載置台の一例を示す斜視図である。
【図７】キーブランクの一例を示す平面図である。
【図８】従来の補助ピースを示す斜視図である。
【符号の説明】
【００３３】
11  支持台
12  固定部材
13  可動台
14  支持枠
14ａ  目盛り位置指示マーク
15  キーブランク装着台
15ａ  ツマミ
16  キーブランク位置決め載置用段差部
17  雌ねじ孔
18  雄ねじ棒
18ａ  上部ハンドル
19  キーブランク締付け部材
19ａ  通孔
20  モーター駆動式ディスク状回転切削刃
20ａ  上部ベルト車
21  横軸
21ａ  規制軸挿通孔
22  ディスク
22ａ  周縁目盛り
22ｂ  セットマーク
23  規制軸
24  スイッチ
25  ケーシング
26  キー溝測定器
27  隆起部
Ａ  キーブランク
ＡＸ  補助ピース
ＡＹ  凹溝
ａ  凸条
Ｂｅ  ベルト
Ｈａ  ツマミ
ｈ  ピン挿入孔
Ｋ  ディスク状回転切削刃
Ｍ  モーター
Ｍａ  下部ベルト車
ｍ  目盛
ＯＬ  小開口
ＯＲ  オリジナルキー
【図１】
0003145042.tif 000003
【図２】
0003145042.tif 000004
【図３】
0003145042.tif 000005
【図４】
0003145042.tif 000006
【図５】
0003145042.tif 000007
【図６】
0003145042.tif 000008
【図７】
0003145042.tif 000009
【図８】
0003145042.tif 000010